(57)【要約】【課題】本発明は、コネクタの挿入口にカバーが設けられた挿抜構造において、カード部品の挿抜性を良好に保ちつつコストを低減することのできる挿抜構造を提供することを課題としている。【解決手段】本発明の挿抜構造は、平板部品を挿抜自在に保持する保持部材と、回転軸を有し前記回転軸を中心に回転して前記保持部材を開閉する開閉部材と、前記開閉部材の回転を係止して前記開閉部材を開とする係止部材と、を有し、前記開閉部材は、開のときに前記保持部材に保持された状態での前記平板部品の底面と略同一面上に存し前記保持部材に挿抜する前記平板部品を載置する載置部と、前記載置部に載置された前記平板部品の挿抜方向に垂直な幅よりも広い間隔を有して前記平板部品の挿抜をガイドするガイド部とを有する。【選択図】      図１
2018147026.tif 000002
【特許請求の範囲】
【請求項１】
平板部品を挿抜自在に保持する保持部材と、
回転軸を有し前記回転軸を中心に回転して前記保持部材を開閉する開閉部材と、
前記開閉部材の回転を係止して前記開閉部材を開とする係止部材と、を有し、
前記開閉部材は、開のときに前記保持部材に保持された状態での前記平板部品の底面と略同一面上に存し前記保持部材に挿抜する前記平板部品を載置する載置部と、前記載置部に載置された前記平板部品の挿抜方向に垂直な幅よりも広い間隔を有して前記平板部品の挿抜をガイドするガイド部とを有する、挿抜構造。
【請求項２】
前記載置部は、前記平板部品の底面に接する凸構造を有する、請求項１記載の挿抜構造。
【請求項３】
前記凸構造は、前記平板部品の挿抜方向に沿って設けられているレールである、請求項２記載の挿抜構造。
【請求項４】
前記ガイド部は、前記平板部品の挿抜方向に沿って設けられている突起である、請求項１から３の内の１項記載の挿抜構造。
【請求項５】
前記平板部品はメモリカードを含む、請求項１から４の内の１項記載の挿抜構造。
【請求項６】
前記保持部材はコネクタを含む、請求項１から５の内の１項記載の挿抜構造。
【請求項７】
前記係止部材は筐体のエッジ部を含む、請求項１から６の内の１項記載の挿抜構造。
【請求項８】
請求項１から７の内の１項記載の挿抜構造を備えている電子機器。
【請求項９】
前記開閉部材は、前記電子機器の筐体に設けられている、請求項８記載の電子機器。
【請求項１０】
開閉部材が回転軸を有し、前記回転軸を中心に回転させた前記開閉部材の回転を係止して前記開閉部材を開とし、
前記開閉部材が開のときに、平板部品を挿抜自在に保持する保持部材に保持された状態での前記平板部品の底面と略同一面上に前記平板部品を載置し、
載置された前記平板部品の挿抜方向に垂直な幅よりも広い間隔のガイドで前記平板部品の挿抜をガイドする、挿抜方法。
【発明の詳細な説明】
【技術分野】
【０００１】
本発明は、メモリカードなどのカード部品を挿抜する構造とこれを備えた電子機器に関する。
【背景技術】
【０００２】
携帯電話機やスマートフォンなどの電子機器は、ＳＩＭ（Ｓｕｂｓｃｒｉｂｅｒ  Ｉｄｅｎｔｉｔｙ  Ｍｏｄｕｌｅ）カードやＳＤカード（Ｓｅｃｕｒｅ  Ｄｉｇｉｔａｌ  Ｍｅｍｏｒｙ  Ｃａｒｄ）などの、ユーザにより挿抜されるカード状の電子部品（以下、カード部品という）を収容するコネクタを備えている。コネクタのカード部品挿入口は電子機器の外周に配置されているため、コネクタの目隠しや保護やゴミ等の異物侵入防止のためのカバーが設けられる場合がある。
【０００３】
特許文献１には、ＳＩＭ挿入口からの異物の侵入を防止できると同時に、ＳＩＭ挿入口へのＳＩＭカードの着脱を容易にすることのできるＰＣカードが開示されている。特許文献１によれば、ＰＣカードは、ＳＩＭホルダとＳＩＭイジェクタとＳＩＭカバーとを備えている。そして、ＳＩＭカバーによってＳＩＭ挿入口からの異物の侵入を防止し、ＳＩＭカバーを介したＳＩＭイジェクタのスライド動作によってＳＩＭカードの着脱を容易にしている。
【先行技術文献】
【特許文献】
【０００４】
【特許文献１】特開２００２−２９８０９２号公報
【発明の概要】
【発明が解決しようとする課題】
【０００５】
しかしながら、特許文献１に開示された技術は、以下の課題を有している。すなわち、特許文献１の技術では、ＳＩＭカバーがあることでＳＩＭ挿入口がＰＣカードの外周から奥まりＳＩＭカードの挿抜性が低下するため、ＳＩＭカードをＳＩＭホルダに導くためのスライド式のＳＩＭイジェクタを設けて挿抜性を改善している。そのため、部品点数が増加しコストの増加が生じている。
【０００６】
本発明は、上記の課題に鑑みてなされたものであり、その目的は、コネクタの挿入口にカバーが設けられた挿抜構造において、カード部品の挿抜性を良好に保ちつつコストを低減することのできる挿抜構造を提供することにある。
【課題を解決するための手段】
【０００７】
本発明の挿抜構造は、平板部品を挿抜自在に保持する保持部材と、回転軸を有し前記回転軸を中心に回転して前記保持部材を開閉する開閉部材と、前記開閉部材の回転を係止して前記開閉部材を開とする係止部材と、を有し、前記開閉部材は、開のときに前記保持部材に保持された状態での前記平板部品の底面と略同一面上に存し前記保持部材に挿抜する前記平板部品を載置する載置部と、前記載置部に載置された前記平板部品の挿抜方向に垂直な幅よりも広い間隔を有して前記平板部品の挿抜をガイドするガイド部とを有する。
【０００８】
本発明の電子機器は、  平板部品を挿抜自在に保持する保持部材と、回転軸を有し前記回転軸を中心に回転して前記保持部材を開閉する開閉部材と、前記開閉部材の回転を係止して前記開閉部材を開とする係止部材と、を有し、前記開閉部材は、開のときに前記保持部材に保持された状態での前記平板部品の底面と略同一面上に存し前記保持部材に挿抜する前記平板部品を載置する載置部と、前記載置部に載置された前記平板部品の挿抜方向に垂直な幅よりも広い間隔を有して前記平板部品の挿抜をガイドするガイド部とを有する、挿抜構造を有する。
【０００９】
本発明の挿抜方法は、開閉部材が回転軸を有し、前記回転軸を中心に回転させた前記開閉部材の回転を係止して前記開閉部材を開とし、前記開閉部材が開のときに、平板部品を挿抜自在に保持する保持部材に保持された状態での前記平板部品の底面と略同一面上に前記平板部品を載置し、載置された前記平板部品の挿抜方向に垂直な幅よりも広い間隔のガイドで前記平板部品の挿抜をガイドする。
【発明の効果】
【００１０】
本発明によれば、コネクタの挿入口にカバーが設けられた挿抜構造において、カード部品の挿抜性を良好に保ちつつコストを低減することのできる挿抜構造を提供することができる。
【図面の簡単な説明】
【００１１】
【図１】本発明の第１の実施形態の挿抜構造およびこれを用いた電子機器の構造を示す断面図である。
【図２】本発明の第２の実施形態の挿抜構造およびこれを用いた電子機器の構造を示す図である。
【図３】本発明の第２の実施形態の挿抜構造のカバーの構造を示す図である。
【図４】本発明の第２の実施形態の電子機器のカバーを閉じた状態を示す斜視図である。
【図５】本発明の第２の実施形態の挿抜構造のカバーを閉じた状態を示す図である。
【図６】本発明の第２の実施形態の電子機器のカバーを開けた状態を示す斜視図である。
【図７】本発明の第２の実施形態の電子機器のカバーを開けた状態でカード部品を挿入する様子を示す斜視図である。
【図８】本発明の第２の実施形態の挿抜構造およびこれを用いた電子機器の変形例の構造を示す斜視図である。
【発明を実施するための形態】
【００１２】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１は、本発明の第１の実施形態の挿抜構造１およびこれを用いた電子機器１０の構造を示す断面図である。
【００１３】
本実施形態の挿抜構造１は、平板部品１１を挿抜自在に保持する保持部材１２と、回転軸１３ａを有し回転軸１３ａを中心に回転して保持部材１２を開閉する開閉部材１３と、開閉部材１３の回転を係止して開閉部材１３を開とする係止部材１４とを有する。さらに、開閉部材１３は、開のときに保持部材１２に保持された状態での平板部品１１の底面と略同一面上に存し保持部材１２に挿抜する平板部品１１を載置する載置部１３ｂを有する。さらに、開閉部材１３は、載置部１３ｂに載置された平板部品１１の挿抜方向に垂直な幅よりも広い間隔を有して平板部品１１の挿抜をガイドするガイド部１３ｃを有する。
【００１４】
本実施形態の電子機器１０は、挿抜構造１を備えている。
【００１５】
本実施形態によれば、開閉部材１３を開とすることで、載置部１３ｂとガイド部１３ｃに導かれて平板部品１１（カード部品）を指先などで保持部材１２（コネクタ）に滑らかに挿抜できることから、平板部品１１の挿抜性を良好とすることができる。さらに、開閉部材１３以外の部品を必要としないことから、コストが低減される。
【００１６】
以上のように、本実施形態によれば、コネクタの挿入口にカバーが設けられた挿抜構造において、カード部品の挿抜性を良好に保ちつつコストを低減することのできる挿抜構造を提供することができる。
（第２の実施形態）
図２は、本発明の第２の実施形態の挿抜構造２およびこれを用いた電子機器２０の構造を示す図である。図２は、電子機器２０の平面図と正面図、および挿抜構造２のＡ−Ａ’断面図とを示す。また、図３は、挿抜構造２のカバー２３の構造を示す平面図と正面図と側面図である。
【００１７】
挿抜構造２は、コネクタ２２とカバー２３と係止エッジ２４とを有する。コネクタ２２は、挿入口２２ａを介してカード部品２１を挿抜自在に保持する。カバー２３は、回転軸２３ａを有し、回転軸２３ａを中心に回転してコネクタ２２の挿入口２２ａを開閉する。係止エッジ２４は、カバー２３を開とするようにカバー２３の回転を係止する。
【００１８】
さらに、カバー２３は、開のときにコネクタ２２に保持された状態でのカード部品２１の底面と略同一面上に存し、コネクタ２２に挿抜するカード部品２１を載置するスライドリブ２３ｂを有する。さらに、カバー２３は、スライドリブ２３ｂに載置されたカード部品２１の挿抜方向に垂直な幅よりも広い間隔を有して、カード部品２１の挿抜をガイドするガイドリブ２３ｃを有する。
【００１９】
電子機器２０は、挿抜構造２を備えている電子機器である。挿抜構造２のカバー２３と係止エッジ２４は、電子機器２０の筐体２５の外周部に設けられることができる。
【００２０】
電子機器２０の筐体２５に組み込まれたカバー２３は、回転軸２３ａを中心とした回転により、コネクタ２２の挿入口２２ａを露出もしくは遮蔽する。すなわち、カバー２３は回転動作により開もしくは閉の状態となる。そして、カバー２３は、回転軸２３ａを中心とした回転が係止エッジ２４で係止されて、開となる。
【００２１】
スライドリブ２３ｂは、カバー２３が開の状態の時に、コネクタ２２に保持された状態でのカード部品２１の底面と略同一面上に存し、コネクタ２２に挿抜するカード部品２１を載置する。スライドリブ２３ｂは、カード部品２１の挿抜方向に沿って設けられている２本もしくは複数のレール状の凸構造とすることができるが、これには限定されない。スライドリブ２３ｂは、コネクタ２２に保持された状態でのカード部品２１の底面と略同一面上にカード部品２１を載置できる、凸構造もしくは平面などとすることができる。また、凸構造とすることによって、カード部品２１と接触する面積が低減して挿抜の際の摩擦を低減させることができることから、挿抜性を向上させることができる。
【００２２】
ガイドリブ２３ｃは、スライドリブ２３ｂに載置されたカード部品２１の、コネクタ２２へ挿抜する方向に垂直な幅よりも広い間隔を有して、カード部品２１の挿抜をガイドする。ガイドリブ２３ｃは、カード部品２１の挿抜方向に沿って略平行に設けられた一対のつい立状の突起とすることができるが、これには限定されない。ガイドリブ２３ｃは、利用者が指先やペン先などでカード部品２１をコネクタ２２に挿抜する際に、カード部品２１が挿入方向から大きく傾いたり回転したりすることを防ぎ、カード部品２１を挿入口２２ａにもしくは挿入口２２ａから、滑らかに移動させることができるものであればよい。
【００２３】
本実施形態の挿抜構造２では、カード部品の挿抜に際してはカバー２３以外の部品を必要としない。よって、特許文献１のように、カード部品の挿抜に際してＳＩＭインジェクタを設けてＳＩＭインジェクタのスライド動作によってカード部品を挿抜する際に問題となる、機械的劣化による寿命や信頼性の低下の問題を、回避することができる。また、ＳＩＭインジェクタのような部品を追加する必要がないので、コストを低減することができる。
【００２４】
本実施形態のカード部品２１とコネクタ２２とカバー２３と係止エッジ２４とは、第１の実施形態の平板部品１１と保持部材１２と開閉部材１３と係止部材１４とに、各々相当する。また、本実施形態の回転軸２３ａとスライドリブ２３ｂとガイドリブ２３ｃとは、第１の実施形態の回転軸１３ａと載置部１３ｂとガイド部１３ｃとに、各々相当する。
【００２５】
本実施形態のカード部品２１は、ＳＩＭカードやＳＤカードなどのメモリカードとすることができるが、これには限定されない。また、本実施形態の電子機器２０は、携帯電話機やスマートフォンやタブレット端末やノートＰＣ（Ｐｅｒｓｏｎａｌ  Ｃｏｍｐｕｔｅｒ）などの携帯端末とすることができるが、これには限定されない。
【００２６】
次に、挿抜構造２の動作を図４〜図７を用いて説明する。
【００２７】
図４は、電子機器２０のカバー２３を閉じた状態を示す斜視図である。カバー２３を閉じた状態では、コネクタ２２の挿入口２２ａは遮蔽されている。
【００２８】
図５は、カバー２３を閉じた状態での挿抜構造を示す図である。図５では、電子機器２０の正面図、および挿抜構造２のＢ−Ｂ’断面図を示す。カバー２３を閉じた状態で、カード部品２１はコネクタ２２に保持されている。また、カバー２３に設けられているスライドリブ２３ｂとガイドリブ２３ｃは、筐体２５の内部に収納されている。よって、カバー２３を閉じた状態では、スライドリブ２３ｂやガイドリブ２３ｃは筐体２５の外側に露出しないので、筐体２５のデザインが損なわれることがない。
【００２９】
図６は、電子機器２０のカバー２３を開けた状態を示す斜視図である。カバー２３は回転軸２３ａを中心とした矢印２６の方向の回転により開けられる。カバー２３を開けると、カバー２３は係止エッジ２４（図２を参照）で係止される。係止エッジ２４で係止されたカバー２３において、スライドリブ２３ｂは、コネクタ２２に保持された状態でのカード部品２１の底面と略同一面上に存し、カード部品２１を載置することを可能とする。また、ガイドリブ２３ｃは、カード部品２１を挿入口２２ａにもしくは挿入口２２ａから、滑らかに移動させることを可能とする。
【００３０】
図７は、電子機器２０のカバー２３を開けた状態でカード部品２１を挿抜する様子を示す斜視図である。
【００３１】
カード部品２１の挿入に際して、利用者は、開とされたカバー２３のスライドリブ２３ｂにカード部品２１を載置し、載置されたカード部品２１を指先などでコネクタ２２の挿入口２２ａに向けて移動させる。カード部品２１は、挿入口２２ａの高さ方向に対しては、スライドリブ２３ｂによって高さ合わせがされている。また、カード部品２１は、挿入口２２ａの幅方向に対しては、ガイドリブ２３ｃによって挿入口２２ａに滑らかに導かれ、コネクタ２２に挿入される。カード部品２１は、ガイドリブ２３ｃによって挿入方向から大きく傾いたり回転したりすることなく、挿入口２２ａに導かれることができる。
【００３２】
また、カード部品２１の抜去に際して、利用者は、カバー２３を開とし、挿入口２２ａに露出しているカード部品２１の端部を爪などで引掛けて引き出す。カード部品２１は、スライドリブ２３ｂ上を滑り、ガイドリブ２３ｃによって抜去方向から大きく傾いたり回転したりすることなく、滑らかに抜去される。
【００３３】
図８は、本実施形態の挿抜構造およびこれを用いた電子機器の変形例の構造を示す斜視図である。本実施形態の変形例の電子機器２０’が電子機器２０と異なる点は、電子機器２０’では、挿抜構造のカバー２３’がガイドリブ２３ｃ’を有する点である。その他の構造は、電子機器２０と同様である。
【００３４】
ガイドリブ２３ｃ’は、コネクタ２２の挿入口２２ａに向かって一対のガイドリブ間の間隔が狭くなり、挿入口２２ａ付近ではガイドリブ間の間隔が挿入口２２ａの幅とほぼ同等となる構造を有する。この構造により、ガイドリブ間の間隔が広い所では指先の挿入が容易となり、特にカード部品２１が小さい場合、挿抜する際の操作性が向上する。また、ガイドリブ間の間隔が広い所ではカード部品２１の載置が容易となり、さらに、ガイドリブ２３ｃ’に沿って挿入口２２ａ方向に移動することで、滑らかに挿入口２２ａに挿入することが可能である。
【００３５】
以上のように、本実施形態によれば、カバー２３を開とすることで、スライドリブ２３ｂとガイドリブ２３ｃに導かれてカード部品２１を指先でコネクタ２２に滑らかに挿抜できることから、カード部品２１の挿抜性が良好である。さらに、挿抜に際してカバー２３以外の部品を必要としないことから、コストが低減される。
【００３６】
以上のように、本実施形態によれば、コネクタの挿入口にカバーが設けられた挿抜構造において、カード部品の挿抜性を良好に保ちつつコストを低減することのできる挿抜構造を提供することができる。
【００３７】
本発明は上記実施形態に限定されることなく、特許請求の範囲に記載した発明の範囲内で種々の変形が可能であり、それらも本発明の範囲内に含まれるものである。
【００３８】
また、上記の実施形態の一部又は全部は、以下の付記のようにも記載され得るが、以下には限られない。
（付記１）
平板部品を挿抜自在に保持する保持部材と、
回転軸を有し前記回転軸を中心に回転して前記保持部材を開閉する開閉部材と、
前記開閉部材の回転を係止して前記開閉部材を開とする係止部材と、を有し、
前記開閉部材は、開のときに前記保持部材に保持された状態での前記平板部品の底面と略同一面上に存し前記保持部材に挿抜する前記平板部品を載置する載置部と、前記載置部に載置された前記平板部品の挿抜方向に垂直な幅よりも広い間隔を有して前記平板部品の挿抜をガイドするガイド部とを有する、挿抜構造。
（付記２）
前記載置部は、前記平板部品の底面に接する凸構造を有する、付記１記載の挿抜構造。
（付記３）
前記凸構造は、前記平板部品の挿抜方向に沿って設けられているレールである、付記２記載の挿抜構造。
（付記４）
前記ガイド部は、前記平板部品の挿抜方向に沿って設けられている突起である、付記１から３の内の１項記載の挿抜構造。
（付記５）
前記平板部品はメモリカードを含む、付記１から４の内の１項記載の挿抜構造。
（付記６）
前記保持部材はコネクタを含む、付記１から５の内の１項記載の挿抜構造。
（付記７）
前記係止部材は筐体のエッジ部を含む、付記１から６の内の１項記載の挿抜構造。
（付記８）
付記１から７の内の１項記載の挿抜構造を備えている電子機器。
（付記９）
前記開閉部材は、前記電子機器の筐体に設けられている、付記８記載の電子機器。
（付記１０）
前記電子機器は、携帯端末を含む、付記８または９記載の電子機器。
（付記１１）
開閉部材が回転軸を有し、前記回転軸を中心に回転させた前記開閉部材の回転を係止して前記開閉部材を開とし、
前記開閉部材が開のときに、平板部品を挿抜自在に保持する保持部材に保持された状態での前記平板部品の底面と略同一面上に前記平板部品を載置し、
載置された前記平板部品の挿抜方向に垂直な幅よりも広い間隔のガイドで前記平板部品の挿抜をガイドする、挿抜方法。
（付記１２）
前記平板部品に底面に接する凸構造を前記開閉部材に有して前記平板部品を載置する、付記１１記載の挿抜方法。
（付記１３）
前記凸構造は、前記平板部品の挿抜方向に沿って設けられているレールである、付記１２記載の挿抜方法。
（付記１４）
前記ガイドは、前記平板部品の挿抜方向に沿って前記開閉部材に設けられている突起である、付記１１から１３の内の１項記載の挿抜方法。
（付記１５）
前記平板部品はメモリカードを含む、付記１１から１４の内の１項記載の挿抜方法。
（付記１６）
前記保持部材はコネクタを含む、付記１１から１５の内の１項記載の挿抜方法。
（付記１７）
筐体のエッジ部で前記開閉部材の回転を係止する、付記１１から１６の内の１項記載の挿抜方法。
【符号の説明】
【００３９】
１、２    挿抜構造
１０、２０、２０’    電子機器
１１    平板部品
１２    保持部材
１３    開閉部材
１３ａ    回転軸
１３ｂ    載置部
１３ｃ    ガイド部
１４    係止部材
２１    カード部品
２２    コネクタ
２２ａ    挿入口
２３、２３’    カバー
２３ａ    回転軸
２３ｂ    スライドリブ
２３ｃ、２３ｃ’    ガイドリブ
２４    係止エッジ
２５    筐体
２６    矢印
【図１】
2018147026.tif 000003
【図２】
2018147026.tif 000004
【図３】
2018147026.tif 000005
【図４】
2018147026.tif 000006
【図５】
2018147026.tif 000007
【図６】
2018147026.tif 000008
【図７】
2018147026.tif 000009
【図８】
2018147026.tif 000010